(57)【要約】【課題】ランプ及び冷却用のファンを有する機器において、電源オンからランプが正常に点灯動作するまでの期間は、イグニッションノイズが大きく、機器が誤動作しやすい。本発明は、ファンの回転情報を利用してランプの点灯を制御することにより、電源オン時の動作を安定化することを目的とする。【課題手段】光源用ランプ及びファンを有する機器において、前記ファンの回転及びランプの点灯を制御する制御回路と、前記ファンの回転状態を検出する回転検出器とを備え、前記制御回路は、ＡＣ電源の投入時に機器をスタンバイ状態にし、ユーザ操作による電源オンの指示を受けて前記ファンの回転及びランプの点灯を行い、ランプの点灯時にＡＣ電源が遮断されその後再投入されたとき、前記ファンが慣性で回転しているときはファンを駆動してランプを点灯制御し、前記ファンが停止しているときは機器をスタンバイ状態に制御する。【選択図】      図１
2004252249.tif 000002
【特許請求の範囲】
【請求項１】
光源用ランプ及びファンを有し、前記ランプを前記ファンからの冷却風によって冷却するようにした機器において、
ＡＣ電源に接続された電源回路と、前記機器の電源オン・オフを指示するための操作キーを有する操作部と、前記ファンの回転及び前記光源ランプの点灯を制御する制御回路と、前記ファンの回転状態を検出する回転検出器とを備え、
前記制御回路は、前記ＡＣ電源の投入時に前記機器をスタンバイ状態にし、前記操作キーによって電源オンの指示がなされたとき、前記ファンを回転駆動するとともに前記ランプを点灯するように制御し、前記ランプの点灯時に前記ＡＣ電源が遮断されその後再投入されたとき、前記回転検出器からの検出結果に応答して、前記ファンが慣性で回転しているときは前記ファンを回転駆動させるとともに前記ランプを点灯制御し、前記ファンが停止しているときは機器をスタンバイ状態になるように制御すること特徴とするランプ点灯制御回路。
【請求項２】
光源用ランプ及びファンを有し、前記ランプを前記ファンからの冷却風によって冷却するようにした機器において
ＡＣ電源に接続された電源回路と、
前記機器の電源オン・オフを指示するための操作キーを有する操作部と、
前記ランプの点灯状態を制御するランプ駆動回路と、
前記ファンの回転状態を制御するファン制御回路と、
前記ファンの回転状態を検出する回転検出器と、
前記ファン駆動回路及び前記ランプ駆動回路を制御する制御回路と、
前記制御回路に接続された不揮発性メモリを含み、前記ランプ点灯開始時の所定期間に特定のフラグ情報を前記不揮発性メモリ記憶するための手段と、
前記ＡＣ電源の投入時に装置をスタンバイ状態にするためのリセット信号を生成する監視用タイマー回路とを具備し、
前記制御回路は、前記ＡＣ電源の投入時に前記リセット信号によって機器をスタンバイ状態にし、前記操作キーによって電源オンの指示がなされたとき、前記ファンを回転駆動するとともに前記ランプを点灯するように制御し、前記ランプの点灯時に前記ＡＣ電源が遮断されその後再投入されたとき、前記不揮発性メモリからの特定のフラグ情報と前記回転検出器からの検出結果に応答して、前記ファンが慣性で回転しているときは前記ファンを回転駆動させるとともに前記ランプを点灯制御し、前記ファンが停止しているときは機器をスタンバイ状態になるように制御すること特徴とするランプ点灯制御回路。
【請求項３】
前記タイマー回路は、前記ＡＣ電源の投入時に前記リセット信号を出力すると共に、前記制御回路から周期的に出力される信号を監視してこの信号が途絶えたときにもリセット信号を出力することを特徴とする請求項２記載のランプ点灯制御回路。
【請求項４】
光源ランプからの光をライトバルブに入射し、このライトバルブからの出射光を投射表示するとともに、前記ランプを冷却するためのファンを有する投射型表示装置において、
ＡＣ電源に接続された電源回路と、
前記装置の電源オン・オフを指示するための操作キーを有する操作部と、
前記ランプの点灯状態を制御するランプ駆動回路と、
前記ファンの回転状態を制御するファン制御回路と、
前記ファンの回転状態を検出する回転検出器と、
前記ファン駆動回路及び前記ランプ駆動回路を制御する制御回路であって、前記ＡＣ電源の投入時に装置をスタンバイ状態にし、前記操作キーによって電源オンの指示がなされたとき、前記ファンを回転駆動するとともに前記ランプを点灯するように制御し、前記ランプの点灯時に前記ＡＣ電源が遮断されその後再投入されたとき、前記回転検出器からの検出結果に応答して、前記ファンが慣性で回転しているときは前記ファンを回転駆動させるとともに前記ランプを点灯制御し、前記ファンが停止しているときは装置をスタンバイ状態になるように制御する制御回路とを具備したことを特徴とする投射型表示装置。
【請求項５】
光源ランプからの光をライトバルブに入射し、このライトバルブからの出射光を投射表示するとともに、前記ランプを冷却するためのファンを有する投射型表示装置において、
ＡＣ電源に接続された電源回路と、
装置の電源オン・オフを指示するための操作キーを有する操作部と、
前記ランプの点灯状態を制御するランプ駆動回路と、
前記ファンの回転状態を制御するファン制御回路と、
前記ファンの回転状態を検出する回転検出器と、
前記ファン駆動回路及び前記ランプ駆動回路を制御する制御回路と、
前記制御回路に接続された不揮発性メモリを含み、前記ランプ点灯開始時の所定期間に特定のフラグ情報を前記不揮発性メモリ記憶するための手段と、
前記ＡＣ電源の投入時に装置をスタンバイ状態にするためのリセット信号を生成する監視用タイマー回路とを具備し、
前記制御回路は、前記ＡＣ電源の投入時に前記リセット信号によって装置をスタンバイ状態にし、前記操作キーによって電源オンの指示がなされたとき、前記ファンを回転駆動するとともに前記ランプを点灯するように制御し、前記ランプの点灯時に前記ＡＣ電源が遮断されその後再投入されたとき、前記不揮発性メモリからの特定のフラグ情報と前記回転検出器からの検出結果に応答して、前記ファンが慣性で回転しているときは前記ファンを回転駆動させるとともに前記ランプを点灯制御し、前記ファンが停止しているときは装置をスタンバイ状態になるように制御すること特徴とする投射型表示装置。
【請求項６】
前記タイマー回路は、前記ＡＣ電源の投入時に前記リセット信号を出力すると共に、前記制御回路から周期的に出力される信号を監視してこの信号が途絶えたときにもリセット信号を出力することを特徴とする請求項３記載の投射型表示装置。
【請求項７】
前記ライトバルブは前記ランプからの光が照射される液晶パネルで成り、この液晶パネルを映像信号によって駆動することにより、この液晶パネルから映像光を出射するようにしたことを特徴とする請求項４又は５に記載の投射型表示装置。
【発明の詳細な説明】
【０００１】
【発明の属する技術分野】
本発明は、光源ランプを有する機器のランプ点灯制御回路及び液晶プロジェクタ等の投射型表示装置に関する。
【０００２】
【従来の技術】
液晶プロジェクタ等の投射型表示装置においては、光源ランプからの光を液晶等のライトバルブに照射し、このライトバルブをテレビジョン映像信号やパソコンからの情報等によって駆動し、ライトバルブから映像光を出射して、投射レンズを介してスクリーンに投射するようにしている。
【０００３】
従来の液晶プロジェクタは、マイクロコンピュータ（以下マイコンと称す）を使用して各種の制御を行っており、マイコンは、リモコンやキー入力回路等の操作部からの指示に従って動作するようにしている。
【０００４】
また前記光源ランプとしては、高電圧放電ランプが使用されるが、このランプの点灯や消灯を制御するためランプ駆動回路が設けられている。さらに前記ランプは点灯時に高温になるため、冷却用のファン設け、このファンからの風をランプに送風するようにしている。このためファン制御回路が設けられている。
【０００５】
前記ランプは前記ライトバルブ（例えば液晶パネル）に光を入射し、液晶パネルを映像信号処理回路からの信号によって変調することで透過光の強度を制御し、この液晶パネルからの映像光を投射レンズを介してスクリーンに投射し表示するようにしている。
【０００６】
前述したマイコンは、前記ランプ駆動回路及びファン制御回路を制御するが、ＡＣ電源が投入されてスタンバイ状態にあるとき、ユーザがパワーオン（電源オン）の操作を行うと、先ずファンを回転させて次にランプを点灯し、パワーオフ（電源オフ）の操作を行うと、先にランプを消灯しその後しばらくしてファンの回転を停止するようにし、ランプを放熱するようにしている。
【０００７】
ところで液晶プロジェクタにおいては、上記ランプとして一般的にメタルハライドランプやハロゲンランプといった高電圧放電ランプが用いられているが、ランプには高電圧をかけて点灯させる必要があるため、ランプ点灯時のイグニッションノイズが非常に大きい。このためノイズがグランドライン、制御ライン、電源ラインに対して予期せぬ電位変化を与えてマイコン等の制御デバイスが誤動作し、  マイコン２１がハングアップ（ノイズによる動作停止等）することがあった。特に、ランプ周辺の温度が高い場合はランプが点火しにくく、点灯試みのリトライ回数が増え、その分ノイズの発生回数も増加することから、ハングアップする可能性も増える。
【０００８】
このため、ランプが高温のときにはランプ点灯を待機させる技術も考えられている。特許文献１（特開２００３−５２８７号公報）には、光源ランプとそれを冷却するためのファンを有し、かつランプの点灯とファンの駆動を制御するマイクロコンピュータを備え、ＡＣ電源の遮断を判別して次にＡＣ電源が投入されるまでの時間をカウントして光源ランプの冷却期間を判別し、冷却期間が十分になるまでランプの点灯を待機させるようにした投射型表示装置が記載されている。
【０００９】
一方、ハングアップが発生した場合、最悪の事態として、ランプは点灯しているのにファンが停止し、操作キーの入力も受け付けないといった予期せぬ動作をする可能性もある。
【００１０】
【特許文献１】
特開２００３−５２８７号公報（図１）
【００１１】
【発明が解決しようとする課題】
このように従来の投射型表示装置においては、電源オンからランプが正常に点灯動作するまでの期間は、イグニッションノイズが非常に大きく、装置が誤動作する可能性があった。本発明は、ファンの回転やランプの点灯を正常に行う事ができるランプ点灯制御回路及び投射型表示装置を提供することを目的とする。
【００１２】
【課題を解決するための手段】
請求項１に記載の発明は、光源用ランプ及びファンを有し、前記ランプを前記ファンからの冷却風によって冷却するようにした機器において、
ＡＣ電源に接続された電源回路と、前記機器の電源オン・オフを指示するための操作キーを有する操作部と、前記ファンの回転及び前記光源ランプの点灯を制御する制御回路と、前記ファンの回転状態を検出する回転検出器とを備え、
前記制御回路は、前記ＡＣ電源の投入時に前記機器をスタンバイ状態にし、前記操作キーによって電源オンの指示がなされたとき、前記ファンを回転駆動するとともに前記ランプを点灯するように制御し、前記ランプの点灯時に前記ＡＣ電源が遮断されその後再投入されたとき、前記回転検出器からの検出結果に応答して、前記ファンが慣性で回転しているときは前記ファンを回転駆動させるとともに前記ランプを点灯制御し、前記ファンが停止しているときは機器をスタンバイ状態になるように制御すること特徴とするランプ点灯制御回路である。
【００１３】
また、請求項２記載の本発明は、光源用ランプ及びファンを有し、前記ランプを前記ファンからの冷却風によって冷却するようにした機器において、
ＡＣ電源に接続された電源回路と；前記機器の電源オン・オフを指示するための操作キーを有する操作部と；前記ランプの点灯状態を制御するランプ駆動回路と；前記ファンの回転状態を制御するファン制御回路と；前記ファンの回転状態を検出する回転検出器と；前記ファン駆動回路及び前記ランプ駆動回路を制御する制御回路と；前記制御回路に接続された不揮発性メモリを含み、前記ランプ点灯開始時の所定期間に特定のフラグ情報を前記不揮発性メモリ記憶するための手段と；前記ＡＣ電源の投入時に装置をスタンバイ状態にするためのリセット信号を生成する監視用タイマー回路とを具備し、
前記制御回路は、前記ＡＣ電源の投入時に前記リセット信号によって機器をスタンバイ状態にし、前記操作キーによって電源オンの指示がなされたとき、前記ファンを回転駆動するとともに前記ランプを点灯するように制御し、前記ランプの点灯時に前記ＡＣ電源が遮断されその後再投入されたとき、前記不揮発性メモリからの特定のフラグ情報と前記回転検出器からの検出結果に応答して、前記ファンが慣性で回転しているときは前記ファンを回転駆動させるとともに前記ランプを点灯制御し、前記ファンが停止しているときは機器をスタンバイ状態になるように制御すること特徴とするランプ点灯制御回路である。
【００１４】
このように本発明のランプ点灯制御回路によれば、ファンの回転情報を利用することにより、ＡＣ電源投入時の不安定動作を回避することができる。
【００１５】
さらに請求項４に記載の発明は、光源ランプからの光をライトバルブに入射し、このライトバルブからの出射光を投射表示するとともに、前記ランプを冷却するためのファンを有する投射型表示装置において、
ＡＣ電源に接続された電源回路と；前記装置の電源オン・オフを指示するための操作キーを有する操作部と；前記ランプの点灯状態を制御するランプ駆動回路と；前記ファンの回転状態を制御するファン制御回路と；前記ファンの回転状態を検出する回転検出器と；前記ファン駆動回路及び前記ランプ駆動回路を制御する制御回路であって、前記ＡＣ電源の投入時に装置をスタンバイ状態にし、前記操作キーによって電源オンの指示がなされたとき、前記ファンを回転駆動するとともに前記ランプを点灯するように制御し、前記ランプの点灯時に前記ＡＣ電源が遮断されその後再投入されたとき、前記回転検出器からの検出結果に応答して、前記ファンが慣性で回転しているときは前記ファンを回転駆動させるとともに前記ランプを点灯制御し、前記ファンが停止しているときは装置をスタンバイ状態になるように制御する制御回路とを具備したことを特徴とする投射型表示装置である。
【００１６】
また、請求項５に記載の発明は、光源ランプからの光をライトバルブに入射し、このライトバルブからの出射光を投射表示するとともに、前記ランプを冷却するためのファンを有する投射型表示装置において、
ＡＣ電源に接続された電源回路と；装置の電源オン・オフを指示するための操作キーを有する操作部と；前記ランプの点灯状態を制御するランプ駆動回路と、
前記ファンの回転状態を制御するファン制御回路と；前記ファンの回転状態を検出する回転検出器と；前記ファン駆動回路及び前記ランプ駆動回路を制御する制御回路と；前記制御回路に接続された不揮発性メモリを含み、前記ランプ点灯開始時の所定期間に特定のフラグ情報を前記不揮発性メモリ記憶するための手段と；前記ＡＣ電源の投入時に装置をスタンバイ状態にするためのリセット信号を生成する監視用タイマー回路とを具備し、
前記制御回路は、前記ＡＣ電源の投入時に前記リセット信号によって装置をスタンバイ状態にし、前記操作キーによって電源オンの指示がなされたとき、前記ファンを回転駆動するとともに前記ランプを点灯するように制御し、前記ランプの点灯時に前記ＡＣ電源が遮断されその後再投入されたとき、前記不揮発性メモリからの特定のフラグ情報と前記回転検出器からの検出結果に応答して、前記ファンが慣性で回転しているときは前記ファンを回転駆動させるとともに前記ランプを点灯制御し、前記ファンが停止しているときは装置をスタンバイ状態になるように制御すること特徴とする投射型表示装置である。
【００１７】
上記した本発明の投射型表示装置によれば、ファンの回転情報を利用することにより、ＡＣ電源投入時の不安定動作を回避することができる。
【００１８】
【発明の実施の形態】
以下、本発明の投射型表示装置の実施形態について図面を参照して説明する。図１は、本発明の投射型表示装置の全体構成を示すブロック図である。
【００１９】
図１において、２１はマイクロコンピュータ（以下マイコン２１と称す）であり、プロジェクタの動作を制御するものである。マイコン２１は、リモコンやプロジェクタ本体に設けられたキーパッド等の操作部２２からの指示を受け、各種の動作を実行する。上記操作部２２は、プロジェクター本体のキー入力部であり、ユーザー操作によって、パワーオン，パワーオフ（電源のオンオフ）や、投射する信号の切り換え、メニュー画面表示等を行うことが出来る。またＡＣ電源からの電圧が電源スイッチ２３を介して電源回路２４に供給されている。
【００２０】
また光源ランプ２５の点灯や消灯を行なうランプ駆動回路２６と、前記ランプ２５を冷却するためのファン２７を駆動制御するファン制御回路２８、及び液晶パネル２９を制御する映像信号回路３０を有し、映像信号回路３０には、入力端子３１から、テレビジョン放送信号を受信処理した映像信号やパソコンからの情報信号が選択供給されるようになっている。
【００２１】
前記ランプ２５は液晶パネル２９に光を照射し、液晶パネル２９を映像信号処理回路３０からの信号によって変調することで透過光の強度を制御し、この液晶パネル２９からの映像光を投射レンズ３２を介してスクリーン（図示せず）に投射し表示するようにしている。
【００２２】
なお、図１では液晶パネル２９を簡略的に図示しているが、実際には複数（例えば３枚）の液晶パネルを用いて、それらをＲ（赤），Ｇ（緑），Ｂ（青）の原色信号で駆動し、ランプ２５からの光をＲ光，Ｇ光，Ｂ光に分光して各液晶パネルに入射し、それぞれの液晶パネルからの出射光を再合成して投射レンズ３２に導くようにしており、上記分光手段、液晶パネル、再合成手段は光学ボックス３３内に設けられている。
【００２３】
さらに前記マイコン２１には、タイマー３４が接続されている。このタイマー３４は、監視機能を有するウォッチドッグタイマーが用いられ、マイコン２１に対してリセット信号を出力するとともに、マイコン２１から周期的に出力されるタイマークリア信号（周期的パルス）が入力されるようになっており、マイコン２１からタイマークリア信号が入力されている状態にあっては前記リセット信号が出力されない様になっている。
【００２４】
また、マイコン２１がハングアップした時など、前記クリア信号が途絶えた場合は、タイマー３４からリセット信号がマイコンへ２１出力され、マイコン２１はリセットする様になっている。また、このリセット機能は、電源オン直後にマイコン２１を初期状態にリセットするためのリセット出力や、不意の電源電圧の低下によるマイコンの不安定動作を防ぐ為のリセット出力も行う。
【００２５】
さらにマイコン２１には、不揮発性メモリ３５（ＥＥＰＲＯＭ）が接続され、この不揮発性メモリ３５には、プロジェクターのＡＣ電源がオフされても、保持しておきたい内部情報を記憶できるようにしている。また前記ファン２７には、その回転状態を検出するため、回転検出器３６が設けられ、回転情報がファン制御回路２８を介してマイコン２１に供給されるようになっている。また、３７はＬＥＤ等の表示素子であり、電源のオン状態などをユーザに知らせるものである。
【００２６】
そして、前記マイコン２１は、前記タイマー３４からの出力、前記不揮発性メモリ３５からの情報、前記回転検出器３６からの情報等を利用して、前記ランプ駆動回路２６及びファン制御回路２８の動作を制御するようにしている。
【００２７】
次に本発明の動作について説明する。図２は、本発明の投射型表示装置におけるランプ点灯時のタイミングチャートである。図２において、（Ａ）はＡＣ電源のオンタイミング、（Ｂ）はタイマー３４からのリセットパルス、（Ｃ）はユーザによるパワーオンのタイミング、（Ｄ）はランプ点灯のタイミング、（Ｅ）は不揮発性メモリ３５のフラグ情報、（Ｆ）は回転検出器３６からの回転情報をそれぞれ示している。
【００２８】
先ず、ユーザーにより（Ａ）で示すタイミングでＡＣ電源スイッチ２３がオンされ、マイコン２１に電源が供給されると、それと同時に、ウォッチドッグタイマー３４の電源監視機能が働き、（Ｂ）で示すように、タイマー３４からリセット信号（ｂ１）が、マイコン２１へ出力される。これにより、マイコン２１はリセットされ、初期状態に戻り、正常な動作を開始する。
【００２９】
このあと、ユーザーにより操作部２２が操作され、パワーオン（電源オン）のキーが押されるまでは、スタンバイ状態（期間Ｔ１で示す）となる。この状態で（Ｃ）に示すように、ユーザーによりパワーオンのキーが押されると、マイコン２１はファン制御回路２８及び他の周辺デバイスの初期設定を行う。これにより、ファン制御回路２８は、マイコン２１からのコマンドによりファン２７を回転し始める（Ｆ参照）。
【００３０】
その後、マイコン２１は、ランプ駆動回路２６を駆動してランプ２５の点灯の処理を行う（Ｄ参照）。この時のランプ点灯のイグニッションノイズにより、マイコン２１自身がハングアップする可能性が非常に高い。万が一、ハングアップしてしまった場合は、マイコン２１からタイマー３４に出力されるクリア信号が途絶え、タイマー３４からリセット信号（ｂ２）がマイコン２１に出力されて、マイコン２１をリセットし、初期状態に戻すようにしている。
【００３１】
しかし、この時、ユーザはパワーオンを望んでいるが、ハングアップにより、マイコン２１はリセットされ、再び、スタンバイ状態となってしまうため、ユーザは幾ら待っても、映像は投射されないことになる。
【００３２】
そこで、これを防ぐ１つの方法として、不揮発性メモリ３５を利用し、不揮発性メモリ３５内にフラグ（ＦＬＧ）を設定し、マイコン２１は、ランプ処理の状態によって、このフラグを書き換えるようにしている。即ち、（Ｅ）で示すように、ランプ点灯開始時はフラグを（ＦＬＧ＝１）とし、それ以外のランプが正常に点灯した状態等ではフラグを（ＦＬＧ＝０）とする。すると、ランプ点灯時にマイコン２１がハングアップした場合、このフラグはＦＬＧ＝１のままであり、点灯開始時にハングアップしたことを、マイコン自身が認識できる。
【００３３】
これを利用して、マイコン２１がリセットされた直後において、フラグがＦＬＧ＝１の場合は、ランプノイズによるハングアップと認識でき、装置はスタンバイ状態を回避して、パワーオンのキーが押されたときと同じ処理をとる。これにより前述した不都合（幾ら待っても映像が投射されない）は解決できる。
【００３４】
上記の動作を図３のフローチャートを参照して説明する。図３のステップＳ１でＡＣ電源スイッチ２３がオンされると、タイマー３４の電源監視機能が働き、ステップＳ２でタイマー３４からリセット信号がマイコン２１に出力される。次にマイコン２１は、ステップＳ３において不揮発性メモリ３５のフラグがＦＧＬ＝０か否かの判別を行う。ＦＬＧ＝０であれば次のステップＳ４に進み、パワーオンキーが操作されたか否かの判定が行われる。
【００３５】
ステップＳ４において、パワーキーが押されるまではスタンバイ状態となり、ユーザーによりパワーオンのキーが押されると、ステップＳ５に進み、マイコン２１はファン制御回路２８及び他の周辺デバイスの初期設定を行い、ファン制御回路２８は、ファン２７を回転させる。
【００３６】
このあと、ステップＳ６でマイコン２１は、不揮発性メモリ３５のフラグ情報をＦＬＧ＝１に設定し、次のステップＳ７でランプ駆動回路２６を駆動してランプ２５の点灯を開始する。
【００３７】
さらにステップＳ８において、ランプ点灯のイグニッションノイズにより、マイコン２１がハングアップしたことが認識されると、マイコン２１からタイマー３４に出力されるクリア信号が途絶え、タイマー３４からリセット信号（ｂ２）が出力され、ステップＳ２に戻る。しかしながら、このときは不揮発性メモリ３５のフラグ情報がＦＬＧ＝１に設定されているので、次のステップＳ３ではＦＬＧ＝１が判定され、ステップＳ４をパスしステップＳ５に進み、スタンバイ状態になるのを回避することができる。
【００３８】
尚、ステップＳ８において、マイコン２１のハングアップが認識されない場合は、ステップＳ９において不揮発性メモリ３５のフラグ情報をＦＬＧ＝０に設定し、その他の処理を実行する。
【００３９】
こうして、パワーオンの後、幾ら待っても映像が投射されないという問題は解決できる。しかし、上記の方法だけでは未だ不十分である。
【００４０】
即ち、図２において、イグニッションノイズの発生が予想される期間Ｔ２にて、ユーザがＡＣ電源スイッチ２３をオフしてしまった場合、不揮発性メモリ３５のフラグはＦＬＧ＝１となったまま、ＡＣ電源をオフされることになる。すると、次に、ＡＣ電源スイッチ２３をオンした場合、ステップＳ３からＳ５にジャンプするため、スタンバイ状態にならずに、ユーザの意思とは関係なくパワーオンの処理を実行してしまう。つまりパワーオンの操作をしていないのにランプが点灯してしまうという現象を発生してしまう。
【００４１】
そこで、本発明では前記ファン２７の回転情報を利用して、上記不具合を回避するようにしている。即ち、ファン２７の回転数は、図２のタイミングチャート（Ｆ）にあるように、ＡＣ電源オンの当初は、回転を停止しており、ゼロである。ユーザによるパワーオンの操作後、マイコン２１からの指示によってファン制御回路２６はファン２７を回転し始め、回転検出器３６からの検出結果は徐々に増加し、やがて安定した回転数に落着く。この回転検出器３６からの回転情報は、マイコン２１に入力される。
【００４２】
ファン制御回路２８は、マイコン２１からの通信が途絶えても、マイコン２１からの設定変更がない限り、現在の動作を継続することと、万が一、ファン制御回路２８も同時にハングアップした場合でも、ファン２７自体の慣性力により、すぐには停止しないため、不揮発性メモリ３５のフラグ情報と、ファン回転情報を参照することすることにより、期間Ｔ２にてユーザーがＡＣ電源スイッチ２３をオフしてしまった場合でも、正常な動作を得る事ができる。
【００４３】
これを、図４のフローチャートを用いて説明する。図４では、ファンの回転情報を参照して処理するステップＳ１０が追加されている。即ち、ステップＳ８においてマイコン２１がハングアップした場合、ステップＳ２に戻りマイコン２１は初期状態にリセットされる。その後、不揮発性メモリ３５のフラグがＦＬＧ＝０か否か判別される。このときフラグはＦＬＧ＝１であるため、ステップＳ１０に進みファンの回転状態を判別する。このときファン２７が停止している場合はステップＳ４においてパワーオンのキー操作が判別され、パワーオンの操作がない限りスタンバイ状態を維持する。
【００４４】
一方、ステップＳ１０においてファン２７が慣性で回転していることを判別した場合は、ステップＳ５に進みマイコン２１はファン２７を再び回転状態にし、以下ステップＳ６，Ｓ７へと進み，ランプ２６を点灯状態にする。
【００４５】
つまり、前記期間Ｔ２にて、ユーザーがＡＣ電源スイッチ２３をオフした場合であっても、ファン２７が慣性により回転している間の短期間に再度ＡＣ電源スイッチ２３がオンされた場合は、ファンの回転動作とランプ点灯を行い、ＡＣ電源スイッチ２３をオフしてファンが停止した後に再びＡＣ電源をオンした場合は、スタンバイ状態になるようにし、ユーザの意図とは異なる動作をすることを防止するものである。
【００４６】
このように、本発明においては、ファンの回転情報を利用することにより、ＡＣ電源投入時の動作を適正に制御することができる。
【００４７】
尚、本発明は液晶プロジェクタに限らず、ファンを利用してランプ等の発熱部を冷却する機器に適用でき、電源投入の初期にノイズ（外乱）を発生するような装置を使用する場合に、システム制御デバイスの安定動作が懸念されるシステム保護策として、利用可能である。
【００４８】
【発明の効果】
以上述べたように本発明によれば、ファンの回転情報を利用することにより、ＡＣ電源投入時の不安定動作を回避することができる。
【図面の簡単な説明】
【図１】本発明の一実施形態の投射型表示装置の構成を示すブロック図。
【図２】本発明の一実施形態の動作を説明するためのタイミングチャート。
【図３】本発明の動作を説明するためのフローチャート。
【図４】本発明の動作を説明するためのフローチャート。
【符号の説明】
２１…制御回路（マイクロコンピュータ）
２２…操作部
２３…ＡＣ電源スイッチ
２４…電源回路
２５…ランプ
２６…ランプ駆動回路
２７…ファン
２８…ファン制御回路
２９…液晶パネル
３０…映像信号処理回路
３２…投射レンズ
３４…ウオッチドッグタイマー
３５…不揮発性メモリ（ＥＥＰＲＯＭ）
３６…回転検出器
【図１】
2004252249.tif 000003
【図２】
2004252249.tif 000004
【図３】
2004252249.tif 000005
【図４】
2004252249.tif 000006